(57)【要約】【課題】  風船を飛ばす時以外にも有効に使用することができるとともに、空気を導入するのに労を要することのない風船発射装置を提供する。【解決手段】  略円筒状のシリンダ部１０を備えた手動空気ポンプ１２を略バット状に形成された筒状本体８の内部に、移動不能に収容するとともに、この筒状本体８のグリップ部に相当する側の端部に、前記シリンダ部内のピストン１４を軸方向に移動操作する操作レバー２２を設置し、さらに、前記手動空気ポンプにおける空気出口２４に、風船４２の口栓部を嵌着する嵌着部を設け、さらに、この嵌着部に着脱自在に嵌着された風船を該嵌着部から離脱させる風船発射部材２６を、前記筒状本体８の外部に露出させて設置し、前記手動空気ポンプ１２により所定の大きさに膨張された風船４２を、前記発射部材２６を操作することにより、前記嵌着部２４から離脱させるようにしたことを特徴としている。【選択図】図１
2005230112.tif 000002
【特許請求の範囲】
【請求項１】
略円筒状のシリンダ部を備えた手動空気ポンプを略バット状に形成された筒状本体の内部に、移動不能に収容するとともに、この筒状本体のグリップ部に相当する側の端部に、前記シリンダ部内のピストンを軸方向に移動操作するハンドルを設置し、
さらに、前記手動空気ポンプにおける空気出口に、風船の口栓部を嵌着する嵌着部を設け、
さらに、前記嵌着部に着脱自在に嵌着された風船を該嵌着部から離脱させる風船発射部材を、前記筒状本体の外部に露出させて設置し、
前記手動空気ポンプにより所定の大きさに膨張された風船を、
前記発射部材を操作することにより、前記嵌着部から離脱させるようにしたことを特徴とするバット型風船発射装置。
【発明の詳細な説明】
【技術分野】
【０００１】
本発明は、バット型風船発射装置に関するもので、詳しくは、野球場などにおいて応援のために膨らまされた風船を、所定のタイミングで放つのに有効なバット型風船発射装置に関するものである。
【背景技術】
【０００２】
例えば、野球観戦においては、一緒に観戦している人々が一斉に風船を飛ばすことにより一体感を生じさせ、場の雰囲気を盛り上げることが盛んに行われている。
【０００３】
ところで、従来、このような目的で使用されている風船発射装置は、例えば、棒状に形成された風船膨らまし器具の本体の先端部に風船を着脱自在に取り付けるとともに、反対側に形成された空気吹き込み口から、直接空気を吹き入れることにより、風船を膨らませていた（特許文献１）。
【０００４】
ところが、このような従来の風船発射装置では、風船を膨らませて発射させること以外には、特に使い勝手がなく、競技を観戦している最中には、邪魔になることが多かった。また、直接口で空気を吹き入れるため、膨らますことに労を要するという問題があった。
【特許文献１】実用新案登録第００６５３０号公報
【発明の開示】
【発明が解決しようとする課題】
【０００５】
本発明は、このような問題に鑑み、風船を飛ばす時以外にも有効に使用することができるとともに、空気を導入するのに労を要することのない風船発射装置を提供することを目的としている。
【課題を解決するための手段】
【０００６】
上記目的を達成するための本発明は、略円筒状のシリンダ部を備えた手動空気ポンプを略バット状に形成された筒状本体の内部に、移動不能に収容するとともに、この筒状本体のグリップ部に相当する側の端部に、前記シリンダ部内のピストンを軸方向に移動操作するハンドルを設置し、
さらに、前記手動空気ポンプにおける空気出口に、風船の口栓部を嵌着する嵌着部を設け、
さらに、前記嵌着部に着脱自在に嵌着された風船を該嵌着部から離脱させる風船発射部材を、前記筒状本体の外部に露出させて設置し、
前記手動空気ポンプにより所定の大きさに膨張された風船を、
前記発射部材を操作することにより、前記嵌着部から離脱させるようにしたことを特徴としている。
【０００７】
係る構成による本発明の風船発射装置は、全体がバット形状であるため、風船を飛ばすとき以外にも、例えば、応援具として使用することができる。
【発明の効果】
【０００８】
本発明に係る風船発射装置によれば、空気ポンプを収容する筒状本体が略バット状に形成されているため、風船を膨らさせて飛ばすとき以外は、これを手に持って振りかざせば、あたかもバットを振っているかのようなしぐさになるので、例えば野球場の雰囲気に応じた応援具として使用することできる。
【０００９】
また、空気による風船の膨らましは、空気ポンプ駆動により、行うことができるので、口で膨らますときのような面倒な手間を省くことができる。
【００１０】
さらに、空気ポンプの形状が筒状であり、バット形状の筒状本体と略同一形状であるため、空気ポンプをコンパクトに納めることができる。
【発明を実施するための最良の形態】
【００１１】
以下、図面を参照しながら、本発明の一実施例について説明する。
【００１２】
図１は本発明の一実施例による風船発射装置を示した分解斜視図である。
【００１３】
この風船発射装置２は、半割状の一方の分割体４と他方の分割体６とから、略バット状の筒状本体８が構成され、例えば、合成樹脂から形成されている。
【００１４】
この筒状本体８の内部には、略円筒状のシリンダ部１０を備えた手動空気ポンプ１２が、軸方向に移動不能に、かつそれ自身回転不能に収容されている。すなわち、筒状本体８を構成する一方の分割体４と他方の分割体６の内面には、シリンダ部１０の両端部を挟む態様で、周方向に内方リブが立設され、これらの内方リブにシリンダ部１０の両端部が支持されることにより、空気ポンプ１２が、移動不能かつ回転不能に収容されている。
【００１５】
この空気ポンプ１２は、円筒状のシリンダ部１０の内部にピストン１４が収容されている。そして、ピストン１４で空気を圧縮するための軸１６が取り付けられている。この軸１６の基端側は、シリンダ１０の下蓋部１８に形成された孔２０を介して外部に突出されている。そして、この軸１６の基端側先端部に、ハンドル２２が設置されている。ハンドル２２は、分割体からなる筒状本体８をバットととして見立てたときに、グリップ部に相当するように外径が小さく調整され、末端部にグリップエンド２２ａとしての突起が具備されている。
【００１６】
そして、一方の手で筒状本体８を握り、他方の手でハンドル２２を図１において、下方に引き下げれば、軸１６と一体のピストン１４が下方蓋部１８側に移動する。また、逆に、下方に引き下げられたハンドル２２を、図１において上方側に押し込めば、ピストン１４の上動とともに、内部に吸引された空気が圧縮され、その圧縮空気が空気出口２４から吐出されるように構成されている。
【００１７】
一方、空気出口２４の外周には、風船発射部材２６が設置されている。この風船発射部材２６は、空気出口２４の外周を囲繞するように配置された筒状部材２８と、筒状部材２８の肩部を一体的に支持しているコ字状部材３０と、コ字状部材３０と一体的に形成され、ヒンジ３２により分割体６に回動自在に支持された操作レバー３４とを有しており、この操作レバー３４は、筒体本体８の外部に一部露出した態様で配置されている。そして、この操作レバー３４を、例えば矢印Ａ’方向に回動させれば、ヒンジ３２を支点としてコ字状部材３０および円筒状部材２８が、空気出口２４に対して矢印Ｂ方向（下方向）に移動する。また、これとは反対に、操作レバー３４を矢印Ａ方向に回動させれば、コ字状部材３０は、空気出口２４に対して矢印Ｂ’方向（上方向）に移動する。この円筒状部材２８の矢印Ｂ’方向の移動により、空気出口２４に取り付けられた風船が、風船発射部材２６から離反される。
【００１８】
なお、図１において、符号４０は、筒状本体８の先端部に着脱自在に設置される先端蓋部を示したもので、この先端蓋部４０の底部中央には、空気出口２４が外方に突出するように貫通孔が形成されている。また、本実施例で使用される風船の口栓部には、硬質のプラスチックから形成されたリング状部材が装着されており、このリング状部材に筒状部材
２８の先端部が当接することで、風船が空気出口２４から離脱される。
本実施例によるバット型風船発射装置２は上記のように構成されているが、以下にその作用について説明する。
【００１９】
先ず、図２および図３に示したように、操作レバー３４を筒状本体８から遠ざかる方向、すなわち矢印Ａ’方向にセットする。この状態であれば、空気出口２４の先端部分が筒状部材２８が先端側に露出するので、この部分に膨らます前の風船４２を着脱自在に取り付けることができる。なお、ゴム製の風船４２の口栓部に挿入されたリング状部材の内径は空気出口２４の外径と略等しく設定されている。したがって、風船４２は、このリング状部材により空気出口２４に着脱自在に取り付けることが可能にされている。この状態、すなわち図２の状態から、ハンドル２２を、図４および図５に示したように、引いたり、押したりすれば、軸１６に取り付けられたピストン１４が往復移動することにより、空気ポンプ１２を介して風船４２内部に圧縮空気が導入される。これにより、風船４２を自動的に膨らますことができる。なお、空気ポンプ１２内には、逆止弁が具備されているので、仮に、ハンドル２２から手を離したとしても、これまで風船４２内に充填された空気が外部に漏れてしまうことはない。こうして次第に風船４２が完全に膨らんだ状態になる。また、風船４２が完全に膨らんだ状態になれば、先端蓋部４０のテーパ状の凹所の内壁面に風船４２の外周が支持されるため、風船４２を筒状本体８の軸線と同一直線上に配置することが可能になる。
【００２０】
このようにして、完全に膨らまされた風船４２を上方に向けて、操作レバー３４を筒状本体８に近づけるように矢印Ａ上方に押し下げれば、風船４２をこの空気出口２４から離反させて、空に飛ばすことができる。
【００２１】
このように、風船発射装置２を使用して、皆が一斉に風船４２を飛ばせば、例えば、野球場全体に風船４２が舞い上がることになり、これにより場の雰囲気を盛り上げることができる。
【００２２】
また、風船４２を飛ばした後、あるいは飛ばす必要のないときは、そのままハンドル２２を手で持って振りかざすなどすれば、手軽な応援具として使用することができる。したがって、手持ち無沙汰を避けることができるとともに、邪魔になることもない。
【００２３】
以上説明したように、本発明に係る風船発射装置によれば、空気ポンプ１２がバット状のシリンダ１０の内部に内蔵される構造であるので、コンパクトであるとともに、口を使って風船を膨らませる必要がない。
【００２４】
また、風船を飛ばした後などの非使用時には、そのままグリップ部を手で握って、応援用具として好ましく使用することができる。
【００２５】
本発明に係る風船発射装置２は、上記実施例に何ら限定されず、種々の変更が可能である。
【００２６】
例えば、上記実施例では、操作レバー３４の外部に露出した部分は、単に、半円状の部材に、細かな線状突起を設けただけの構造であるが、この露出した部分を、あたかも野球のボールであるかのように形成すれば、一層野球を応援する気分を向上させることができる。
【図面の簡単な説明】
【００２７】
【図１】図１は、本発明の一実施例によるバット型風船発射装置の分解斜視図である。
【図２】図２は、図１の断面図である。
【図３】図３は、図２の状態の斜視図である。
【図４】図４は、風船を膨らます際の断面図である。
【図５】図５は風船を膨らますときの斜視図である。
【符号の説明】
【００２８】
２    風船発射装置
４    分割体
６    分割体
８    筒状本体
１０  シリンダ
１２  手動空気ポンプ
１４  ピストン
１６  軸
２２  ハンドル
２４  空気出口（嵌着部）
２６  風船発射部材
３４  操作レバー
４２  風船
【図１】
2005230112.tif 000003
【図２】
2005230112.tif 000004
【図３】
2005230112.tif 000005
【図４】
2005230112.tif 000006
【図５】
2005230112.tif 000007